(57)【要約】販促メッセージ送信等のメッセージ送信が、デジタルディスク（４０）及びテーププレーヤー等のデジタルオーディオメディアプレーヤーのユーザへ配信される。本発明の実施には、携帯用プレーヤーが特に適している。プレーヤーは、メッセージを受け取るワイヤレスレシーバ（３８）とメッセージを格納するためのメモリとを含む。あるいは、プレーヤーメモリにはメッセージが予め装填されている。コントローラが、合理的なときに、例えば、再生されているオーディオディスクまたはテープのトラックの間の区切りで、メッセージを再生する。広告または販促のメッセージが、ワイヤレス送信を経由して対応デジタルオーディオプレーヤーへ放送され、メモリに格納される。プレーヤーはディスクの制御情報を読み取り、これをメモリに格納する。制御情報を使用して、メモリからメッセージを再生する。本発明によって、且つ、本発明に従ってメッセージの受信、格納及び再生が可能であるプレーヤーを使用することによって、効果的な販促方法が可能である。プロモーターは、無料でまたは割引料金で、プレーヤーの配布を準備することができる。イベント、例えば、フェスティバルまたはコンサートが、販促または広告のメッセージの特定のグループの受信者を標的にする好ましい状況を提供する。次いで、広告を含むことが好ましい販促メッセージ送信が、配布されたプレーヤーに放送され、これが、トラックの間にメッセージを格納し再生する。
2004503896.tif 000002
【特許請求の範囲】
【請求項１】
デジタルオーディオメディアプレーヤーで再生される記録されたデジタルオーディオメディアで使用されるメッセージ送信方法であって、
デジタルオーディオメディアプレーヤーへメッセージ放送を提供するステップと、
次いで、デジタルオーディオメディアプレーヤー内で、
前記提供ステップの結果としてメッセージを受信するステップと、
受信されたメッセージを格納するステップと、
前記デジタルオーディオメディアプレーヤーの再生操作に応答して格納されたメッセージを再生するステップと、
を含む方法。
【請求項２】
前記再生操作はトラック終了を含む請求項１に記載の方法。
【請求項３】
前記デジタルオーディオメディアプレーヤーの再生操作に応答して再生する前記ステップによって任意の数のメッセージが再生される請求項２に記載の方法。
【請求項４】
前記受信ステップの後に、前記メッセージがアナログ形式である場合には、受信したメッセージを転換するステップをさらに含む請求項１に記載の方法。
【請求項５】
前記格納ステップは、
受信したメッセージを短期メモリに初期格納することと、
長期メモリに前記受信したメッセージ用のスペースがあるか否かをチェックし、次いで、前記受信したメッセージ用にスペースが利用可能である場合には、前記受信したメッセージを長期メモリに転送し、あるいは、長期メモリのスペースを開けて、次いで、前記受信したメッセージを長期メモリに転送することと、
を含む請求項１に記載の方法。
【請求項６】
前記格納ステップは、前記受信したメッセージ用に十分なスペースができるまで、もっとも古いメッセージから開始してメッセージを削除することによって、長期メモリのスペースを開ける請求項５に記載の方法。
【請求項７】
前記再生ステップは、再生操作に応答していくつのメッセージをメモリから再生するべきかを決定するためにメッセージ再生プランを形成するステップを含む請求項１に記載の方法。
【請求項８】
前記再生ステップは、前記メッセージ再生プランを開始するステップを含む請求項７に記載の方法。
【請求項９】
メッセージ再生プランを形成する前記ステップは、
前記プレーヤーのデジタルオーディオメディアから制御コードデータを読み取るステップと、
制御コードデータを格納するステップであって、前記制御コードはトラックの間に少なくとも区切り箇所を示すステップと、
前記メッセージ再生プランを実行するステップと、
前記プレーヤーの前記デジタルオーディオメディアが取り外されるかまたは前記プレーヤーがオフにされるかのいずれかのときには、制御コードデータを消去するステップと、
を含む請求項８に記載の方法。
【請求項１０】
メッセージ再生プランを形成する前記ステップは、
中に格納されるメッセージの数を決定するためにメモリをチェックするステップと、
前記制御コードデータを使用して、トラックの間で再生されるメッセージを有する前記デジタルオーディオメディア上のトラックを決定するステップと、
メモリに格納されたメッセージの数及びトラックの間の区切りの数に基づいて、トラックの間の各区切りで再生するメッセージの数を決定するステップと、
をさらに含む請求項９に記載の方法。
【請求項１１】
前記制御コードデータを使用して、前記デジタルオーディオメディアのトラックを決定する前記決定ステップは、無作為性を含む請求項１０に記載の方法。
【請求項１２】
メッセージ再生プランを開始する前記ステップは、
制御コードデータを使用して、再生されるべき前記デジタルオーディオメディア上の次のトラックを識別するステップと、
前記メッセージ再生プランを使用して、前記次のトラックの前にメッセージを再生すべきか否かを決定するステップであって、次いで、再生されるべきメッセージがない場合には前記識別ステップに戻り、そうでなければ、前記メッセージ再生プランから再生されるべきメッセージの数を決定し、メモリからその数のメッセージを引き出し、前記次のトラックの前にメモリから引き出された前記メッセージを再生するステップと、
を含む請求項１０に記載の方法。
【請求項１３】
前記再生操作はトラック終了であり、前記再生ステップは、トラックタイトルに基づいてメモリからメッセージを選択することを含む請求項１に記載の方法。
【請求項１４】
デジタルオーディオメディアプレーヤーで再生される記録されたデジタルオーディオメディアで使用されるメッセージ送信販促方法であって、
デジタルオーディオメディアを再生し、ワイヤレス放送からメッセージを受信し、受信したメッセージを格納し、前記デジタルオーディオメディアプレーヤーの再生操作に応答して標的の集団へ格納されたメッセージを再生することができる携帯用デジタルオーディオプレーヤーを配布することを準備するステップと、
前記配布ステップで配布されたプレーヤーへメッセージ放送を提供するステップと、
を含む方法。
【請求項１５】
前記配布ステップの前に、前記配布ステップで配布されるべきプレーヤーの製造を準備するステップをさらに含む請求項１４に記載の方法。
【請求項１６】
前記準備ステップは、配布されるべきプレーヤーに販促指標をマークするのを準備するステップを含む請求項１５に記載の方法。
【請求項１７】
前記メッセージは音楽を販促し、音楽サンプルを含む請求項１４に記載の方法。
【請求項１８】
前記準備ステップは、少なくとも２つの標的の集団へ配布するステップを含み、前記提供ステップは、別個の標的の集団へ配布されたプレーヤーへ別個の放送を提供するステップを含む請求項１４に記載の方法。
【請求項１９】
異なる受信チャンネルを有するプレーヤーが別個の標的の集団へ配布され、前記別個の放送は別個のチャンネルを使用することによって達成される請求項１８に記載の方法。
【請求項２０】
別個の標的の集団は地理的に離れており、前記別個の放送は放送の間の地理的分離によって達成される請求項１８に記載の方法。
【請求項２１】
メッセージ受信及び再生デジタルオーディオメディアプレーヤーであって、
デジタルオーディオメディアを再生するデジタルオーディオメディアモジュールと、
ワイヤレス放送からメッセージを受信し、受信したメッセージを格納し、再生操作に応答して格納されたメッセージを出力するワイヤレスレシーバモジュールと、
デジタルオーディオメディアの再生またはメモリからのメッセージの出力に応答してオーディオを生成するオーディオ出力と、
前記オーディオ出力を前記デジタルオーディオメディアモジュール及び前記ワイヤレスレシーバモジュールに接続するインターフェースと、
を備えるメッセージ受信及び再生デジタルオーディオメディアプレーヤー。
【請求項２２】
デジタルオーディオメディアプレーヤーで再生される記録されたデジタルオーディオメディアで使用されるメッセージ送信方法であって、
デジタルオーディオメディアプレーヤーのメモリ内にメッセージを装填するステップと、
次いで、デジタルオーディオメディアプレーヤー内で、
前記装填ステップから受け取ったメッセージを格納するステップと、
前記デジタルオーディオメディアプレーヤーの再生操作に応答して格納されたメッセージを再生するステップと、
を含む方法。
【請求項２３】
前記再生操作はトラック終了であり、前記再生ステップは、トラックタイトルに基づいてメモリからメッセージを選択することを含む請求項２２に記載の方法。
【発明の詳細な説明】
【０００１】
（発明の分野）
本発明の主な分野は、メッセージ送信、販促及びデジタルオーディオメディアプレーヤーである。
（発明の背景）
デジタルメディアプレーヤーは、オーディオ再生の広く使用される形態である。家庭では、ＣＤ（コンパクトディスク）を再生するプレーヤーが広く使用され、より近年では、ＣＤを再生することができるＤＶＤ（デジタル多用途ディスク）は、ビデオ及びオーディオ再生の結合機能を果たす。携帯用オーディオディスクプレーヤーも、日頃から多くの人々に使用されている。ディスクプレーヤーは一般に、ＣＤ（コンパクトディスク）またはＭＤ（ミニディスク）を再生する。デジタルオーディオテープ（ＤＡＴ）が存在するが、あまり頻繁には使用されていない。ＣＤフォーマットが、現在、もっとも人気のあるデジタルオーディオフォーマットである。
【０００２】
予め記録されたＣＤまたはＭＤは、それに記録されたオーディオトラックに関する制御コード情報を含む。制御コード情報は、主オーディオチャンネルとは別個のチャンネルに記録される。制御コード情報は、目録（ＴＯＣ）情報を含む。ＴＯＣは、ディスクの開始部に、リードイン区域に記録される。ＴＯＣデータは、「Ｑ」チャンネルのモード１としても知られている。ＴＯＣ情報は、トラックの数、各トラックの絶対開始時間、トラック番号、トラック内の指数、トラック内の時間、及び、絶対時間を含む。他の制御コード情報は、「Ｐ」コードチャンネルに記録される。Ｐチャンネルは、トラックの開始を指定するフラグビットを含む。開始フラグの長さは、最低２秒であるが、この長さが２秒を超える場合には、２つのトラックの間の休止長さに等しい。より一般的には、デジタルテープ及びディスクメディアは、少なくともトラック開始場所に関する制御コード情報を有すると予想することができる。
（発明の要約）
本発明は、デジタルオーディオメディアプレーヤーのユーザにメッセージ送信及び販促を提供する手段としてそのような情報を使用し、デジタルディスク及びテーププレーヤー等の携帯用デジタルオーディオメディアプレーヤーのユーザへメッセージ送信を提供するのに特に適している。トラック開始場所は、基本的発明の使用のために十分な情報を提供し、一方、好ましい追加特徴部は、追加情報を含むデジタルディスク及びテープフォーマットで実現することができる。
【０００３】
本発明は、販促メッセージ送信等のメッセージ送信を携帯用デジタルオーディオディスク及びテーププレーヤーのユーザへ提供する。プレーヤーは、メッセージを受け取るためのワイヤレスレシーバ及びメッセージを格納するためのメモリを含む。あるいは、メモリには、メッセージが予め装填されていてもよい。コントローラが、次いで、再生されているオーディオディスクまたはテープのトラックの間にメッセージを再生する。
【０００４】
好ましい方法において、広告または販促のメッセージが、ワイヤレス送信を経由して対応オーディオプレーヤーへ放送され、メモリに格納される。プレーヤーは、ディスクの制御信号を読み取り、これをメモリに格納する。制御情報を使用して、所定のときに、好ましくはトラックの間に、メモリからメッセージを再生する。好ましい実施形態において、プレーヤーのマイクロコントローラが、制御情報及びメモリに格納されたメッセージに関する情報を使用して、メッセージ再生プランを形成し保存する。メッセージ再生プランは、メッセージがトラックの間でいつ再生されるか、且つ、いくつのメッセージが再生されるか、を制御する。メッセージ再生プランは、ＣＤが再生されている間に実行される。
【０００５】
本発明によって、且つ、本発明に従ってメッセージの受信、格納及び再生が可能であるプレーヤーを使用することによって、効果的な販促方法が可能である。プロモーターは、無料でまたは割引料金で、プレーヤーの配布を準備することができる。イベント、例えば、フェスティバルまたはコンサートが、販促または広告のメッセージの特定のグループの受信者を標的にする好ましい状況を提供する。次いで、広告を含むことが好ましい販促メッセージ送信が、配布されたプレーヤーに放送され、これが、トラックの間にメッセージを格納し再生する。
（好ましい実施形態の詳細な説明）
本発明は、携帯デジタルオーディオ装置のユーザへメッセージ送信を提供する。本発明によって使用されるデジタルメディアオーディオ装置、例えばＣＤまたはＭＤプレーヤーは、デジタルメディアの再生中に所定のときにメッセージを格納し再生することができるように、従来の装置から修正されなければならない。装置は、格納され再生されるべきメッセージを受け取ることができるようにも修正されることが好ましい。
【０００６】
本発明の好ましいデジタルメディアオーディオ装置は、ワイヤレス信号送信からメッセージ送信を受け取る。これによってメッセージ送信は、例えば、時間、地理的場所、装置の受信周波数、または、チャンネル選択の機能として、変動する。多くの種類のワイヤレス信号送信方法が、本発明に従って使用されてもよい。無線周波数送信は、本発明のデジタルメディアオーディオ装置へメッセージを送信するための便利な媒体を提供する。他の適切なワイヤレス媒体として、マイクロ波、赤外線、レーザ光線及び音波が挙げられる。選択されたワイヤレス送信の特定のやり方とは関係なく、モジュレーション及びコーティング技術が、本発明が使用することができるチャンネルを提供し、異なるデジタルメディアオーディオ装置へ異なるメッセージ送信を提供するか、または、複数のメッセージ送信チャンネルの間で本発明の特定のデジタルメディアオーディオ装置を選択することができる。装置のメモリに予め装填されたメッセージもメッセージ送信には効果的であるが、ワイヤレス受信によって提供されるメッセージを適宜更新することはできない。
【０００７】
本発明に従ってメッセージを受け取り、格納し再生するように装備された携帯デジタルオーディオプレーヤー、例えば、ディスクプレーヤーは、本明細書では、更新可能なメッセージ使用可能プレーヤー（ＵＭＥＰ）と称される。ＵＭＥＰは、特定のメッセージ送信チャンネルへ予めプログラムされていてもよい。異なる受信チャンネルを有するＵＭＥＰは、メッセージ受信者の異なる標的グループへ配布されてもよい。
【０００８】
本発明の好ましい実施形態は、メッセージ送信チャンネルとして、商用のＡＭまたはＦＭ無線副搬送波信号を使用する。詳細な説明の残りの部分は、好ましい実施形態に関する。しかし、他のワイヤレス信号を同様に使用することができることを、当業者は理解する。
【０００９】
好ましい副搬送波チャンネルは、商用のＡＭまたはＦＭ送信のベースバンド外であり、メッセージ送信内容を受話器へ送るための実際的な手段を提供する。副搬送波、側波帯、ＳＣＡ帯域、またはＳＣＡ（副搬送波）としても知られる系列通信当局は、別個の非ベースバンドのオーディオ信号またはデータ信号であり、放送ＦＭまたはＡＭラジオ局へ搬送波（ベースバンド）オーディオ信号に多重送信される。副搬送波帯域は商用のＦＭまたはＡＭ送信帯の帯域外であるが、ラジオ局は一般に、自己の主要信号に加えて１つまたは２つの副搬送波チャンネルへの送信力に専心する。合衆国内で副搬送波を使用する１つの重要な利益は、放送局が副搬送波信号を送信するのに、連邦通信委員会（「ＦＣＣ」）当局の通知または免許の申請は必要ないということである。４７ＣＦＲセクション７３．１２７（ＡＭ局）、４７ＣＦＲ７３．２９３（ＦＭ局）。結果として、これは、オーディオ装置に装備されたメッセージ再生装置へメッセージを配信する魅力的な方法である。メッセージを受け取るために副搬送波帯域を使用するだけではなく、メッセージを受け取る他の方法が利用可能であり、すべて本発明の範囲内である。例えば、広告メッセージがデジタルオーディオファイル自体にエンコードされてもよく、または、メッセージは、他のワイヤレス通信信号を使用して送信されることも可能であり、そのための帯域は国によって変動してもよく、または、他の地理的場所によって変動してもよい。メッセージは、装置の販売または配布前に、オーディオ再生装置に予め装填されていてもよい。格納されたメッセージの出力はトリガーコードによって開始されるが、それは、メッセージ再生装置によって挿入されてもよく、または、オーディオ装置によって得られるデジタルオーディオファイル内に含まれてもよい。
【００１０】
好ましい種類のメッセージ内容は、販売促進用の、例えば、広告メッセージである。これらのメッセージは、音楽のサンプルを含むこともある。しかし、他の種類のメッセージが放送されることが企図されてもよく、例えば、旅行及び交通情報、ニュース、危険警告等である。
【００１１】
さて、図１を参照すると、放送用に販促メッセージが作成され準備される１０。メッセージはデジタルであってもアナログであってもよく、且つ、圧縮されてもよく、他の方法でエンコードされてもよい。メッセージは、好ましい商用無線副搬送波信号で放送される１２。メッセージは、副搬送波送信の放送区域内でＵＭＥＰによって受け取られ、格納され、再生される１４。各送信は、個別のＵＭＥＰのメッセージメモリに格納されたメッセージを更新する。前述のように、プレーヤーメモリ内にメッセージを予め装填することによって本発明が使用される場合には、送信は省略されてもよいが、更新可能な放送が好適である。
【００１２】
メッセージは、記録スタジオで生成されることが予想される。メッセージは記録され、必要に応じて圧縮される。図２は、好ましいメッセージ構造を例示する。メッセージは、長さが変動してもよい。各メッセージ構造は、スタートコード１８とメッセージブロック２０とエンドコード２２とを含む。スタートコード、メッセージブロック及びエンドコードは、メッセージユニット２４Ａ（長）または２４Ｂ（短）を構成する。メッセージは、異なるチャンネルに、異なる時間で、異なる地理的領域に、等で、放送されるためのグループに整理されてもよい。メッセージが音楽内容に整合して、演奏されている音楽の種類に基づいて再生されるべきメッセージの種類を合わせることができるように、メッセージは、メッセージの種類を示す追加データベースコードを含んでもよい。
【００１３】
本発明の好ましい実施形態によると、好ましい副搬送波レシーバのための図３のブロック図に見られるように、ＵＭＥＰは、副搬送波モジュールを含む。副搬送波メッセージは、アンテナ２６に衝突して放送し、信号は、ＡＭまたはＦＭであってもよい適切な復調器２８によって、復調される。復調器からの信号は、チャンネル・セレクタ及びコンディショナ３０へ送られ、これは、副搬送波チャンネルを選択し、デコーダによってデコードするために、信号を準備し、例えば増幅する。アナログ−デジタルコンバータ３２は、メッセージをデジタルフォームに転換する。アナログ副搬送波信号がメッセージ送信に使用される場合にコンバータ３２が必要とされるだけである。コンバータ３２からのメッセージデータが、または、コンバータが不要の場合にはチャンネル・セレクタ３０のメッセージデータが、デコーダ３４によってデコードされる。デコーダ３４は、デコードされたメッセージを一時的に格納するために少量の短期メモリを含むことが好ましい。新しく受け取ったメッセージがメモリのオーバーフローを引き起こすような場合には、そのような短期格納によって、ＣＰＵまたはコントローラボード３６がその長期メモリを管理することができる。新しくデコードされたメッセージは、いずれの必要な長期メモリ管理後に、コントローラ３６に関連した長期メモリへ送られ、これは、メッセージが再生されるメッセージメモリとして作用する。デコーダ３４は、ＣＰＵまたはコントローラ３６の一部として実現されてもよい。
【００１４】
チャンネル・セレクタ３０は調整可能であることが好ましく、そのため、副搬送波メッセージ送信レシーバを含むＵＭＥＰが、異なる周波数及びモジュレーションでメッセージを受け取ってもよい。この特徴を使用して、別個のチャンネル上の異なる種類のメッセージ送信内容を支持することができ、それは、ユーザによって選択されるか、ユーザ入力なしでコントローラ３６によって選択的に制御されるか、製造時に設定されるか、または、ディーラーまたは技術者によって設定されるか、が可能である。チャンネル・セレクタ３０は、周波数を走査してもよく、受け取られた制御信号によって周波数へ方向づけられてもよく、または、スイッチまたは他の種類のセレクタによって設定されてもよい。図３のレシーバは、格納または再生前に受け取られたメッセージの圧力を減じるかまたは他の方法で処理する必要がある場合に、別個のモジュールまたはコントローラ３６の機能としてデジタル信号プロセッサ（ＤＳＰ）も含んでもよい。副搬送波レシーバは頻繁に電力供給されることが好適であり、そのため常にメッセージ放送を受け取ることが可能であり、従って、低電力消費を呈するべきである。
【００１５】
図３に従って構造された副搬送波レシーバモジュール３８を含むＵＭＥＰは、図４にブロック図の形態で示される。図４のＵＭＥＰは、ディスクプレーヤー、例えば、ＣＤプレーヤーである。ディスクプレーヤーモジュール４０は、完全に従来のものである。両方のモジュールが主回路基盤４２に装着される。基盤４２は、両方のモジュールが基盤と一体であるように、または、副搬送波レシーバモジュール３８が存在するかしないかを可能にする方法で、構造されてもよい。この後者の種類の基盤構造は、この基盤が、副搬送波レシーバモジュールなしで作ることができるプレーヤー用に使用されるのを可能にする。
【００１６】
レシーバモジュール３８及びプレーヤーモジュール４０は、いくつかの共通構成要素を共有することが好ましく、電力供給４４、ＤＡＣ（デジタルアナログコンバータ）／オーディオシンセサイザー４６、ユーザインターフェース４８、ディスプレイ５０及びオーディオ出力５２を含む。モジュールと共通構成要素の使用との間の交互作用は、インターフェース制御回路５４によって規制される。インターフェース制御回路５４は、副搬送波レシーバモジュール３８の一部であってもよく、そのため、副搬送波レシーバモジュールが含まれない場合には、これは、主基盤には存在しない。インターフェース制御回路によって、ディスクプレーヤーモジュール４０は、ユーザインターフェース４８からの入力、例えば、「ストップ」、「スタート」、「スキップ」、容量制御等を受け取ることができる。ディスプレイは、このようなものをトラック番号及び持続時間として示す。インターフェース制御は、オーディオシンセサイザー４６へのアクセスも規制する。副搬送波レシーバモジュール３８は優先権を受け取り、そのため、シンセサイザー４６へアクセスすると、ディスクプレーヤーモジュール４０からトラックの再生は休止する。
【００１７】
図５は、本発明によってメッセージを受け取るために放送及びＵＭＥＰで実行される好ましい送信及び受信手順を例示する。デジタルＦＭメッセージ放送が、図５に想定される。アナログメッセージ送信放送を使用する場合には、アナログからデジタルへ転換するためのステップが図５の手順に加えられる。図５において、メッセージは、デジタルＦＭ放送のベースバンド信号に変調され、送信される５６。メッセージは、ＵＭＥＰの副搬送波レシーバモジュール３８によって受け取られ処理される５８。復調されたオーディオまたはテキストのメッセージが、副搬送波レシーバモジュール３８の短期メモリへ送られる６０。レシーバモジュール３８は、新しいメッセージを受け取るときに、時間の間に合理的な数の異なるメッセージを保持し再生するのに十分な長期メモリも含むべきである。
【００１８】
新しいメッセージを受け取るときに、長期メモリはいっぱいであってもよい。好ましくは、コントローラ３６が、新しいメッセージを格納するのに利用可能な、メモリＡと称される十分な未使用の長期メモリがあるか否かをチェックする６２。メモリが不十分であれば、十分なスペースができるまで、もっとも古いメッセージが削除される６４。十分な長期メモリが利用可能であるときには、メッセージが短期メモリから長期メモリへ転送され、メッセージを受け取った時間に基づいて順番に格納される６６。
【００１９】
格納されたメッセージを長期メモリから再生することができる。プランが形成されることが好ましい。図６は、ＵＭＥＰディスクプレーヤーのマイクロコントローラ３６によって形成されるメッセージ再生プラン（ＭＰＰ）を開始するための好ましいタイミングを例示する。ＭＰＰは、いつ、いくつの、どのメッセージが再生されるかを決定する。ディスクを聞いているユーザの背景状況がＭＰＰによって使用され、メモリからいつメッセージを再生すべきかを決定する。このようにして、ユーザがプレーヤーをオンにするかまたはディスクを装填するときに、処理が開始する６８。マイクロコントローラは、ディスクに問い、ディスクからＴＯＣ及び他の制御コードデータを読み取る。このＴＯＣ及び他の制御コードデータは、メモリＢと称されるメモリに格納される。ＭＰＰが、図７に概略されるように、形成され、メモリＣと称されるメモリに格納される。ディスクが再生され、図８に概略されるように、ＭＰＰが実行される。ＭＰＰは、プレーヤーがオフにされるかまたはディスクが取り外される８０ときに、停止する。レーヤーがオフにするかまたはディスクを取り外すことによって、それぞれ、ＴＯＣ及びサブコードデータ、及び、ＭＰＰを含むメモリＢ及びＣを消去する８１。プレーヤーがオンにされるかまたはディスクが装填されるときにＭＰＰ処理が再度開始する。
【００２０】
図７は、好ましいＭＰＰのステップを例示する。ＭＰＰは、コントローラ３６がＴＯＣ及びサブコードをメモリＢに格納した後に、開始する８２。コントローラ３６は、メモリＡに格納されているメッセージの数をチェックする８４。コントローラ３６は、次いで、どのトラックがそれらの間で再生されるメッセージを有するかを決定する。どのトラックが再生されるべきメッセージを起動するかの決定は無作為であり、リスナーがメッセージを予期して回避する可能性を防ぐ。しかし、第１のトラックの前か第１のトラックの後かまたは第２のトラックの後に常にメッセージを再生して、リスナーが聴取ごとにたとえ短い場合でもメッセージを聞く機会を最大限に利用することが望ましい。コントローラ３６は、次に、いくつのメッセージがメモリＡに格納されているか、及び、いくつのメッセージ区切りが決定されたかに基づいて、各区切りで再生されるメッセージの数を決定する。再生するメッセージの数の決定は、どのメッセージを再生するかの知的選択も含む。再生されるべきメッセージの種類を決定する１つの方法は、メッセージの種類を、再生されたまたは再生される音楽トラックの内容にリンクさせることである。典型的なデジタルメディアは、ＣＤのＴＯＣのように、デジタルメディア上のコード情報に歌のタイトルを含む。これは、再生されるメッセージを音楽の種類に基づかせる機会を提供する。例えば、音楽ファイルが一定の音楽カテゴリーに属する場合には、メッセージ構造は、各音楽カテゴリー用に特定のメッセージを再生するように設定することができる。このようにして、再生されるメッセージの選択は、音楽カテゴリーによって反映されるときにはリスナーの嗜好により近く合わせることができ、これは、リスナーへの広告の特注生産に追加の及び強力な要因を加える。そのような場合に、ＭＰＰは、特定の種類のメッセージへトラックをリンクする情報を含む。完了したＭＰＰはメモリＣに格納される９０。
【００２１】
図８は、ディスクを再生中に、格納されたＭＰＰを開始するための好ましいシーケンスを詳述する。コントローラは、先のトラックが再生されている間にまたはその終了直後に、制御コードの使用によってディスク上に次のトラックを識別する９２。識別された次のトラックのＩＤ番号が、ＭＰＰと比較される９４。ＭＰＰは、識別された次のトラックの前にメッセージが再生されるべきか否かを決定するよう問われる９６。答がノーの場合、トラックは再生され９８、次のトラックが識別される９２。答がイエスの場合、ＭＰＰは、いくつのメッセージが再生されるべきかが問われる１００。ＭＰＰは、再生されるべきトラックまたは再生されたトラックに基づいて、メッセージが再生されるべき情報へ戻ってもよい。適切な数のメッセージがメモリＡから引かれ１０２、再生される１０４。メッセージに続いて、トラックが再生され９８、次のトラックを識別するために、シーケンスが新しく開始する９２。
【００２２】
好ましい実施形態から、当業者は本発明の様々な利点を認識し、本発明の範囲から逸脱せずに本発明に修正が行われてもよいことを当業者は認識する。本発明は、広告または販促のメッセージが、ワイヤレス送信を経由してデジタルオーディオメディアプレーヤーへ放送されることを可能にする。受け取られたメッセージは、対応ＵＭＥＰ装置によって格納され、格納されたメッセージは、ＵＭＥＰ装置のオーディオ出力を通して再生される。
【００２３】
好ましい実施形態及びその変形例の一般的な特徴が、独特な販促方法を提供する。広告業者は、自分たちのメッセージが特定の聴取者を標的とすることに特に興味を持っている。ＣＤユーザの人口統計が、ユーザを特定の広告メッセージの対象にするための基礎を提供する。例えば、携帯用ディスクプレーヤーを使う人々は、ＣＤを大量に購入する傾向がある。従って、本発明は、レコード会社及びその広告業者に、彼らのメッセージをＣＤリスナーのこの高度に望ましいグループへ至らせる機会を提供する。
【００２４】
好ましい実施形態のレコード会社販促方法は、レコード会社に接触するＵＭＥＰメッセージ送信提供業者を有する。しかし、この方法は、携帯用ディスクプレーヤーを使用する人々へ影響を及ぼしたいいずれの広告業者へ適用することができる。提供業者は、ＵＭＥＰの生産を行うかまたはその準備をし、これは、レコード会社、レコーディング、バンド、コンサート等のロゴ、名前等を目立つように表示することが好ましい。ＵＭＥＰは次いで、標的とされる聴取者へ配布される。好ましい実施形態において、ＵＭＥＰは、無料で与えられるか、または、関連購入品（例えば、コンサートチケット、ＣＤ、衣料品等）への抱き合わせ販売として名目上の料金で与えられる。次いで、提供業者は、副搬送波使用可能ディスクプレーヤーへ、レコード会社、レコーディング、バンド、コンサート等を販促するメッセージを送る。これらのメッセージは音楽のサンプルを含むことが好ましいが、それは、ＵＭＥＰはそのようなサンプルを呈するのに非常に適しているからである。提供業者は、規定された時間の間のディスクプレーヤーへのメッセージ放送を維持し、その後、停止する。次いで、提供業者は、同一のサービスを例えば衣料会社等の別の企業へ提供してもよいが、それは、当初の協定によって配布されたＵＭＥＰへそのようなメッセージ送信するのを原初の契約が禁止していないものと仮定している。メッセージは、メッセージをコーディングするか、異なるメッセージを異なる周波数またはモジュレーションで放送し且つ一定のプレーヤーに選択された周波数またはモジュレーションを受信するように装備するかによって、選択グループのプレーヤーへ放送されることが可能である。
【００２５】
本発明の様々な実施形態が示され説明されてきたが、他の修正例、置換例及び代替例が、当業者には明らかである。そのような修正例、置換例及び代替例は、本発明の精神及び範囲から逸脱することなく作ることができ、それは、添付の特許請求の範囲から決定するべきである。
【００２６】
本発明の様々な特徴は、特許請求の範囲に述べられる。
【図面の簡単な説明】
他の特徴及び利点は、下記の詳細説明から明らかになる。
【図１】
図１は本発明によるメッセージ送信を例示するブロック図である。
【図２】
図２は好ましいメッセージユニット配列を例示する図である。
【図３】
図３は本発明の好ましい副搬送波メッセージレシーバのブロック図である。
【図４】
図４は本発明の好ましい更新可能なメッセージ使用可能ディスクプレーヤーを例示する図である。
【図５】
図５は本発明の好ましいメッセージ受信方法を例示する図である。
【図６】
図６はメッセージ再生プランを開始するための好ましいステップを例示する図である。
【図７】
図７はメッセージ再生プランを形成するための好ましいステップを例示する図である。
【図８】
図８はメッセージ再生プランを実行するための好ましいステップを例示する図である。
【図１】
2004503896.tif 000003
【図２】
2004503896.tif 000004
【図３】
2004503896.tif 000005
【図４】
2004503896.tif 000006
【図５】
2004503896.tif 000007
【図６】
2004503896.tif 000008
【図７】
2004503896.tif 000009
【図８】
2004503896.tif 000010
【国際公開パンフレット】
2004503896.tif 000011
2004503896.tif 000012
2004503896.tif 000013
2004503896.tif 000014
2004503896.tif 000015
2004503896.tif 000016
2004503896.tif 000017
2004503896.tif 000018
2004503896.tif 000019
2004503896.tif 000020
2004503896.tif 000021
2004503896.tif 000022
2004503896.tif 000023
2004503896.tif 000024
2004503896.tif 000025
2004503896.tif 000026
2004503896.tif 000027
2004503896.tif 000028
2004503896.tif 000029
2004503896.tif 000030
2004503896.tif 000031
2004503896.tif 000032
2004503896.tif 000033
2004503896.tif 000034
2004503896.tif 000035
2004503896.tif 000036
2004503896.tif 000037
2004503896.tif 000038
【国際調査報告】
2004503896.tif 000039
2004503896.tif 000040
2004503896.tif 000041